(57)【要約】    【課題】  鉄筋の所定の位置に確実かつ強固に取り付けることができ、しかも一種類で径の異なる鉄筋に自由に対応できる鉄筋用スペーサーを提供する。    【解決手段】  縦鉄筋２をその側面側から把持し得るように真横に凹形状に開口して形成された鉄筋把持部３ａとその周囲に突設され、縦鉄筋２と型枠４との間に介在された間隔保持部３ｂとからなるスペーサー本体３と、鉄筋把持部３ａにその外側から内側に向かって螺入され、縦鉄筋２の側面部を強く押圧する固定ネジ５とから形成する。スペーサー本体３の鉄筋把持部３ａと間隔保持部３ｂはモルタルまたは合成樹脂などの弾性材から一体的に形成する。【選択図】                図１
2005171629.tif 000002
【特許請求の範囲】
【請求項１】
型枠内に配筋された鉄筋に取り付けられ、前記鉄筋と前記型枠との間隔を保持する鉄筋用スペーサーにおいて、側方に開口する凹形状に形成され、前記鉄筋を把持する鉄筋把持部と、当該鉄筋把持部の周囲に突設され、前記鉄筋と前記型枠との間に介在された間隔保持部とからなるスペーサー本体と、前記鉄筋把持部に取り付けられ、前記鉄筋の側部を押圧する固定部材とから形成されてなることを特徴とする鉄筋用スペーサー。
【請求項２】
間隔保持部は鉄筋把持部の周囲にその少なくとも二方向に突設されてなることを特徴とする請求項１記載の鉄筋用スペーサー。
【請求項３】
間隔保持部は扇形状に形成されてなることを特徴とする請求項１または２記載の鉄筋用スペーサー。
【請求項４】
固定部材は金属製または合成樹脂製のタッピングネジまたは釘であることを特徴とする請求項１〜３のいずれかに記載の鉄筋用スペーサー。
【請求項５】
鉄筋把持部に鉄筋の離脱を阻止するクリップが取り付けられてなることを特徴とする請求項１〜４のいずれかに記載の鉄筋用スペーサー。
【発明の詳細な説明】
【技術分野】
【０００１】
本発明は鉄筋用スペーサーに関し、型枠内に配筋された縦鉄筋や横鉄筋、さらには斜め鉄筋などに取り付けられ、これらの鉄筋と型枠（堰板）との間隔（かぶり厚）、またはこれらの鉄筋どうしの間隔を正確に保持できる鉄筋用スペーサーとして開発されたものである。
【背景技術】
【０００２】
建築・土木工事において、型枠内に配筋された鉄筋と型枠(堰板)との間隔を正しく保持するための鉄筋用スペーサーとして、俗にドーナツ形スペーサーと呼ばれる鉄筋用スペーサーが知られている。
【０００３】
この種の鉄筋用スペーサーとしては、例えば図５に図示するような鉄筋用スペーサーが知られている。この鉄筋用スペーサー１０は合成樹脂などから円形板状に形成され、中央に鉄筋挿通孔１０ａが形成され、その側部に鉄筋挿通孔１０ａに連通する鉄筋導入スリット１０ｂが形成されている。
【０００４】
そして、例えば型枠１１内に配筋された縦鉄筋１２に鉄筋用スペーサー１０を取り付けるには、鉄筋導入スリット１０ｂから鉄筋挿通孔１０ａ内に縦鉄筋１２を強く押し込むことにより、鉄筋用スペーサー１０を縦鉄筋１２に取り付けることができる（特許文献１）。
【特許文献１】特開平１０−２３８０１８
【特許文献２】特開平１０−１５９２５９
【特許文献３】特開平０８−２７９５６
【発明の開示】
【発明が解決しようとする課題】
【０００５】
しかし、鉄筋用スペーサー１０は、中央の鉄筋挿通孔１０ａに縦鉄筋１２を単に貫通させて取り付けられているだけであるため、型枠１１内に打設されたコンクリート１３の嵩が増すにつれてコンクリート１３に押し上げられ、コンクリート１３とともに浮上してくることがあった。
【０００６】
また、コンクリート１３を締め固めるために用いられるバイブレーター（図省略）の振動によってコンクリート１３内を浮上してくることもあった。このため、当初、正確な位置に取り付けることができたとしても、その後位置がずれてしまうことがあった。
【０００７】
また、コンクリートの圧送や浮上、さらには夏場の暑さ等で変形し、その結果コンクリートのかぶり厚を正確に保持できなかったり、脱落したりしてスペーサーとしての機能を果たせなくなってしまうことがあった。
【０００８】
さらに、鉄筋用スペーサーの製作とともに鉄筋挿通孔１０ａの内径がほぼ決まって自由に拡径および縮径ができないため、径の異なる縦鉄筋１２ごとに鉄筋挿通孔１０ａの内径の異なるものを何種類も準備する必要があり、このため管理および取り扱いが非常に煩雑になりやすいという課題もあった。
【０００９】
本発明は、以上の課題を解決するためになされたもので、鉄筋の所定位置に正確にかつ強固に取り付けることができ、しかも一種類で径の異なる鉄筋にも自由に対応できる鉄筋用スペーサーを提供することを目的とする。
【課題を解決するための手段】
【００１０】
請求項１記載の鉄筋用スペーサーは、型枠内に配筋された鉄筋に取り付けられ、前記鉄筋と前記型枠との間隔を保持する鉄筋用スペーサーにおいて、側方に開口する凹形状に形成され、前記鉄筋を把持する鉄筋把持部と、当該鉄筋把持部の周囲に突設され、前記鉄筋と前記型枠との間に介在された間隔保持部とからなるスペーサー本体と、前記鉄筋把持部に取り付けられ、前記鉄筋の側部を押圧する固定部材とから形成されてなることを特徴とするものである。
【００１１】
本発明は、型枠の中に配筋された縦鉄筋や横鉄筋、さらには斜め鉄筋などに取り付けられ、これらの鉄筋と型枠（堰板）との間隔（かぶり厚）、またはこれらの鉄筋どうしの間隔を正確に保持できる鉄筋用スペーサーであり、特に鉄筋把持部に取り付けられた固定部材を締め付けるだけで鉄筋にきわめて簡単に、かつ強固に取り付けることができ、これによりコンクリートを打設する際のコンクリート圧やバイブレーターによる締固めの際の振動等による浮上がりや脱落を確実に防止することができるものである。
【００１２】
この場合のスペーサー本体の鉄筋把持部と間隔保持部は合成樹脂やモルタル等から一体的に形成することができ、また補強用の芯材として針金などの金属線材や金属メッシュ材、あるいは鋼板などを埋め込むことにより強度を著しく高めることができる。
【００１３】
また特に、間隔保持部は鉄筋把持部の周囲に二方向に対称形に、または三方向ないし四方向に放射状に突設してもよい。また、間隔保持部に孔を設けることによりコンクリートを打設する際のコンクリート圧を軽減することができるだけでなく、コンクリートの充填性を著しく高めることができる。この場合の孔の形状や大きさは、間隔保持部の強度を著しく低下させなければ、特に限定されるものではない。
【００１４】
固定部材としては、例えばタッピングネジや釘、特に指先で回して直接鉄筋把持部にねじ込むことが可能な蝶ネジが望ましい。また、固定部材は鉄筋を鉄筋把持部の内方に押圧する方向に取り付けるのが望ましい。
【００１５】
請求項２記載の鉄筋用スペーサーは、請求項１記載の鉄筋用スペーサーにおいて、間隔保持部は鉄筋把持部の周囲にその少なくとも二方向に突設されてなることを特徴とするものである。
【００１６】
請求項３記載の鉄筋用スペーサーは、請求項１または２記載の鉄筋用スペーサーにおいて、間隔保持部は扇形状に形成されてなることを特徴とするものである。
【００１７】
請求項４記載の鉄筋用スペーサーは、請求項１〜３のいずれかに記載の鉄筋用スペーサーにおいて、固定部材は金属製または合成樹脂製のタッピングネジまたは釘であることを特徴とするものである。
【００１８】
請求項５記載の鉄筋用スペーサーは、請求項１〜４のいずれかに記載の鉄筋用スペーサーにおいて、鉄筋把持部に鉄筋の離脱を阻止するクリップが取り付けられてなることを特徴とするものである。
【００１９】
この場合のクリップとしては、例えばスペーサー本体と同様に硬質性合成樹脂または針金や薄鋼鈑などから鉄筋導入口にその側面側から差し込めるようにコの字状に形成されたもの等でよい。なお、このようなクリップを用いずに鉄筋導入口を単に結束線などで結束するだけでもよい。
【発明の効果】
【００２０】
本発明は、特に鉄筋把持部に取り付けられた固定部材を締め付けるだけで鉄筋にきわめて簡単に、かつ強固に取り付けることができ、これによりコンクリートを打設する際のコンクリート圧やバイブレーターによる締固めの際の振動等による浮上がりや脱落を確実に防止することができる。
【００２１】
また、鉄筋に対するコンクリートのかぶりが一定であれば、一種類で径の異なる鉄筋に相当の範囲にわたり対応することができて、きわめて経済的である。
【発明を実施するための最良の形態】
【００２２】
図１（ａ）〜（ｄ）は、型枠内の縦鉄筋に取り付けられた本発明の鉄筋用スペーサーの一例を示し、図において、鉄筋用スペーサー１は縦鉄筋２をその側面側から把持し得るように真横に凹形状に開口して形成された鉄筋把持部３ａとその周囲に突設され、縦鉄筋２と型枠４との間に介在された間隔保持部３ｂとからなるスペーサー本体３と、鉄筋把持部３ａにその外側から内側に向かって螺入され、縦鉄筋２の側面部を強く押圧する固定ネジ５とから形成されている。
【００２３】
鉄筋把持部３ａと間隔保持部３ｂは、硬質合成樹脂などの弾性材から円形板状に一体的に形成されている。また、鉄筋把持部３ａの内径は縦鉄筋２の外径と同径か、または縦鉄筋２の外径よりやや大きめに形成され、またその側部に形成された鉄筋導入口３ｃの開口幅は縦鉄筋２の外径よりやや小さめに形成されている。
【００２４】
したがって、鉄筋把持部３ａの鉄筋導入口３ｃを縦鉄筋２の側部に強く押し付けると、鉄筋導入口３ｃが開いて鉄筋把持部３ａ内に縦鉄筋２が挿入される。
【００２５】
また、鉄筋把持部３ａ内に縦鉄筋２が挿入されると、鉄筋導入口３ｃは元の開口幅に戻るため縦鉄筋２は鉄筋把持部３ａから簡単に外れることはない。
【００２６】
間隔保持部３ｂには1個ないし複数個の貫通孔３ｄが形成されており、型枠４内にコンクリートが打設された際のコンクリートの側圧を可能な限り受けないようになっている。なお、貫通孔３ｄの形状は、単純な円形などが考えられるが、特に間隔保持部３ｂの強度上、問題がなければ形状や大きさは限定されるものではない。
【００２７】
固定ネジ５には木ネジまたは指先で直接回して締め付けることの可能な蝶ねじ等が用いられ、固定ネジ５が鉄筋把持部３ａにその外側から直接ねじ込まれ、その先端部５ａが鉄筋把持部３ａを貫通し、かつ縦鉄筋２の側面部を強く押圧している。このため、縦鉄筋２の径が少々小さく、鉄筋把持部３ａの内径に弛みがある場合でも、スペーサー本体３を縦鉄筋２に確実強固に固定することができる。
【００２８】
なお、間隔保持部３ｂが邪魔なために固定ネジ５をうまく締め付けることができないときは、例えば図１(ｃ)に図示するように固定ネジ５はスペーサー本体２の面外方向に少し傾けて螺入されている。また、鉄筋導入口３ｃが開いて縦鉄筋２から外れるおそれがあるときは、鉄筋導入口３ｃに例えば図１(ｄ)に図示するようなクリップ６が取り付けられている。
【００２９】
この場合のクリップ６は、スペーサー本体３と同様に硬質性合成樹脂または針金や薄鋼鈑などから鉄筋導入口３ｃにその側面側から差し込めるようにコの字状に形成され、その先端部に抜け止め用のストッパー６ａ、６ａがそれぞれ形成されている。なお、このようなクリップを用いずに鉄筋導入口３ｃを単に結束線などで結束するだけでもよい。
【００３０】
また、固定ネジ５は、例えば図２（ａ），（ｂ）に図示するように二ヶ所に螺入されていてもよい。
【００３１】
図３と図４は鉄筋用スペーサーの変形例を示し、いずれもスペーサー本体３の間隔保持部３ｂが扇形状に形成されている。また特に、図３（ａ），（ｂ），（ｃ）に図示した鉄筋用スペーサーの場合、間隔保持部３ｂ，３ｂは鉄筋把持部３ａの両側に左右対称に突設され、また図４（ａ），（ｂ），（ｃ）に図示した鉄筋用スペーサーの場合、間隔保持部３ｂ，３ｂは鉄筋把持部３ａの三方向に放射状に突設されている。
【産業上の利用可能性】
【００３２】
本発明の鉄筋用スペーサーは、型枠内に配筋された鉄筋に確実かつ強固に取り付けることができ、かつ鉄筋と型枠（堰板）との間隔（かぶり厚）、および鉄筋どうしの間隔を正確に保持することができる。
【図面の簡単な説明】
【００３３】
【図１】鉄筋用スペーサーの一例を示し、（ａ）、（ｂ）はその平面図，（ｃ）は(ｂ)におけるイ−イ線断面図、(ｄ)はクリップの平面図である。
【図２】（ａ）、（ｂ）は鉄筋用スペーサーの一例を示す平面図である。
【図３】（ａ）、（ｂ）、（ｃ）は鉄筋用スペーサーの一例を示す平面図である。
【図４】（ａ）、（ｂ）、（ｃ）は鉄筋用スペーサーの一例を示す平面図である。
【図５】従来の鉄筋用スペーサーの一例を示す斜視図である。
【符号の説明】
【００３４】
１  鉄筋用スペーサー
２  縦鉄筋
３  スペーサー本体
３ａ  鉄筋把持部
３ｂ  間隔保持部
３ｃ  鉄筋導入口
３ｄ  貫通孔
４  型枠
５  固定ネジ(固定部材)
５ａ  固定ネジの先端部
６  クリップ
６ａ  ストッパー
【図１】
2005171629.tif 000003
【図２】
2005171629.tif 000004
【図３】
2005171629.tif 000005
【図４】
2005171629.tif 000006
【図５】
2005171629.tif 000007